(57)【要約】【課題】光音響分光法等の光学的手段による分析装置において、分析に要する時間を短くし、簡易な装置構成とすること。【解決手段】光源１２から照射され波長が異なる複数の単色光を、それぞれ異なる周波数の正弦波で変調して、複数の周波数成分を含む変調光として試料に照射する。光が試料に吸収されることによりエネルギーが放出され複数の単色光の吸収特性等を反映する複数の周波数成分を含む音または光はマイクロホン１５等の検出器で検出する。検出された出力信号は、フーリエ変換等により周波数解析を行うコンピュータ１８等の周波数解析手段で個々の周波数成分に分解する。【選択図】図１Ａ
2008180701.tif 000002
【特許請求の範囲】
【請求項１】
波長の異なる複数の単色光を試料に照射する光源と、
前記複数の単色光をそれぞれ異なる周波数の正弦波で強度変調して前記試料に同時に照射する光変調手段と、
強度変調された前記複数の単色光が前記試料に照射されて発生する音または光を検出する検出器と、を備える分析装置。
【請求項２】
前記検出器はマイクロホンであり、当該マイクロホンは光音響効果により前記音を発生させる光音響セル内に設けられており、
前記音を周波数解析する周波数解析手段をさらに備える請求項１に記載の分析装置。
【請求項３】
前記検出器は光センサであり、
前記光の強度波形を周波数解析する周波数解析手段をさらに備える請求項１に記載の分析装置。
【請求項４】
前記試料は、海苔である請求項１から３のいずれかに記載の分析装置。
【請求項５】
前記検出器として、複数の光センサが配置され、
各光センサと前記試料との間には干渉フィルタがそれぞれ配置され、
各干渉フィルタはそれぞれ異なる波長の光を透過させ、前記試料から発生した蛍光が検出される請求項３に記載の分析装置。
【請求項６】
前記光源として、複数の発光ダイオードが配置されている請求項１から５のいずれかに記載の分析装置。
【発明の詳細な説明】
【技術分野】
【０００１】
本発明は、光学的手段を用いた分析装置に関し、特に、光の照射態様を周期的に変化させることで試料を分析する光学的手法による分析装置に関する。
【背景技術】
【０００２】
従来、分析対象とする試料に光を照射して試料の成分等を分析する分析方法として、光音響分光法が知られている。従来、用いられている光音響分光法では、試料に断続的に光を照射し、試料に吸収された光エネルギーが熱として放出されることにより生じる周期的な熱変化を音波として検出する。光音響分光法によれば、光が透過または反射しないような試料も分析できる。このため、光音響分光法は様々な物質の分析装置として採用され、例えば乾海苔の品質を客観的に測定する非破壊分析装置が提案されている（特許文献１、非特許文献１）。
【０００３】
特許文献１に開示された分析装置は、光源、分光器、反射鏡、光チョッパ、光音響セル、マイクロホン、前置増幅器、メイン増幅器、ロックイン増幅器、およびデータ記録装置を備えている。この分析装置では、光源から照射された光は分光器により分光され、分光により得られたある波長の単色光が光チョッパで遮断され、断続的に照射される光（断続光）として試料に照射される。
【０００４】
試料は、光照射を受けて光エネルギーを吸収し、吸収された光エネルギーは熱として蓄積されると共に周辺に放出される。一方、光照射が止まると、試料はしばらくの間は蓄積された熱エネルギーを放出するが、やがて熱エネルギーの放出は停止する。このため、特許文献１に記載の装置では、断続光を照射することで、光が照射された試料の周辺に周期的な圧力変動を生じさせ、音波を発生させる。音波は、マイクロホンにより電気信号に変換され、前置増幅器およびメイン増幅器で増幅された後、ロックイン増幅器に入力されて試料に照射された光と実質的に同じ周波数の成分のみが検出される。そして、その検出された周波数成分の強度を計測することにより、照射されたある波長の光に対する当該試料の光吸収が得られる。
【０００５】
【特許文献１】特開２００２−１８６４６４５号公報
【非特許文献１】齋藤  寛「光音響・光熱変換装置を用いた食品（ノリ、チャ、コメ）の非破壊検査法の確立」  東海大学研究奨励補助計画報告書  第２８号  学校法人  東海大学総合研究機構  ２００４年７月３１日  ｐ３９〜４２
【発明の開示】
【発明が解決しようとする課題】
【０００６】
従来技術では、上述したとおり、１回の測定である一つの単色光を照射してロックイン増幅器で増幅した後、特定の周波数の音波のみを取り出す。このため、波長が異なる複数の単色光に対する吸収率を求めるためには、複数回、すなわち求めたい単色光の数に相当する回数の測定が必要となる。このため、試料の分析に要する時間が長くなるという問題があった。
【０００７】
また、上記従来技術では単色光を断続的に照射するため、高調波成分が多く発生する。
【課題を解決するための手段】
【０００８】
本発明者らは、光源から、波長が異なる複数の単色光をそれぞれ異なる周波数の正弦波で強度変調して試料に照射した後、複数の単色光の吸収特性を反映する複数の周波数成分を含む音を検出し、この音の出力信号を周波数解析して複数の周波数成分に分解することにより、上記課題を解決できることを想到し、本発明を完成させた。また、本発明者らは、複数の周波数成分を含む音の代わりに、複数の強度変調された単色光を受けた試料が発する蛍光等の光を検出し、この光の強度波形を周波数解析することにより、上記課題を解決できることを想到して、本発明を完成させた。具体的には、本発明は以下を提供する。
【０００９】
本発明の請求項１に係る発明は、複数の単色光を照射する光源と、前記複数の単色光をそれぞれ異なる周波数の正弦波で強度変調して前記試料に同時に照射する光変調手段と、強度変調された前記複数の単色光が前記試料に照射されて発生する音または光を検出する検出器と、を備える分析装置である。
【００１０】
単色光は正弦波で強度変調されることで周期的に強度が変化し、その単色光の強度の変化態様は、光の強度を縦軸、照射時間を横軸にとった場合において、ほぼ正弦波をなす波形を描く。なお、「正弦波で単色光を変調する」という場合の「正弦波」は、実質的に正弦波であることを意味するものとする。すなわち、「正弦波で強度変調された単色光」（以下、これを「変調光」と称する場合がある）は、ある周波数の、実質的に正弦波である波形を描くように強度が変化する。以下、試料に照射される変調光の強度変調の周波数を「変調周波数」と称する場合がある。なお、数学的には、正弦波は、その値がプラスの半周期とマイナスの半周期を繰り返す波形であるが、本明細書では、正弦波は、その値が全周期に亘ってプラスになるように、適正なプラスのバイアス（オフセット）を加えてなる波形を表す場合もある。
【００１１】
単色光を強度変調する方法としては、光源に与える電流（または電圧）を正弦波で変調することで、光源から発される単色光の強度を変調させる方法が挙げられる。具体例としては、光源として異なる単色光、すなわち波長がそれぞれ異なる単色光を発生させる複数の発光ダイオード（ＬＥＤ）を用いる場合、各ＬＥＤに供給する電流をある正弦波で変調すればよい。あるいは電圧駆動の複数の光源を用いる場合は、供給電圧を正弦波で変調すればよい。各単色光をどの周波数の変調周波数で変調するかという変調周波数の割り当ては特に限定されず、任意であってよい。また、単色光を強度変調する方法は、光源に供給する電流等を変調して光源から変調された光を発する方法に限定されず、一定の強度で光源から発された光の透過量（透過率）を正弦波状に変化させる機構を利用してもよい。
【００１２】
光照射を受けた試料は、光エネルギーを吸収し、吸収された光エネルギーを熱として放出するため、ある変調周波数の変調光を照射された試料は、上述したメカニズムによって、照射された変調光の変調周波数と実質的に同一の周波数の音波を発生させる。本発明では、このように変調光から音波を発生させる現象を、複数の異なる波長の光について生じさせ、各波長の光を異なる変調周波数で変調させて照射することで同時に行う。検出器では、複数の周波数成分を含む音を検出する。
【００１３】
光エネルギーを吸収した試料からはまた、照射された変調光の変調周波数と実質的に同一の周波数で強度が変化する蛍光による光を発生させることもできる。さらに、変調光が試料に照射されて反射した反射光、変調光が試料に照射されて散乱した散乱光、または変調光が試料を透過した透過光も、入射光の変調周波数と実質的に同一の周波数で強度変調されている。本発明では、検出器で音を検出する代わりに、これらの光を検出してもよい。なお、本明細書においては蛍光という現象により発生する光を便宜的に「蛍光」と称する場合がある。
【００１４】
検出器で検出される音（または光）は、試料に同時に照射された複数の変調光のそれぞれに対応する変調周波数と実質的に同一の周波数の複数（試料に照射された変調光と同数）の周波数成分を含む。以下、検出器で検出され変調周波数の異なる複数の周波数成分を含む音の波形を「混合音波形」と称する場合がある。同様に、検出器で検出され周波数の異なる複数の単色光を含む光の強度波形については「混合光強度波形」と称する場合がある。
【００１５】
周波数解析では、混合音波形または混合光強度波形を周波数解析することで、試料に照射した複数の変調光のそれぞれに対応する複数の周波数成分に分解する。このような複数の周波数成分は、複数の単色光に対する試料の吸収特性、蛍光の励起特性、反射特性、散乱特性、または透過特性（以下、これらを総称して「応答特性」と称する場合がある）を反映している。本発明では複数の光に対する試料の応答特性を１回の測定で知ることもでき、また、分光された光を順次照射して複数の光に対する試料の応答特性を知ることもできる。
【００１６】
本発明の請求項２に係る発明は、前記検出器はマイクロホンであり、当該マイクロホンは光音響効果により音を発生させる光音響セル内に設けられており、前記音を周波数解析する周波数解析手段をさらに備える請求項１に記載の分析装置である。
【００１７】
請求項２の分析装置では、照射された光エネルギーを吸収した試料から放出される熱エネルギーを音波として検出する光音響分光法を用いる。請求項２の分析装置では、光エネルギーを試料に照射し、音波に変換して検出器で検出するため、光学的分析が難しい（すなわち、照射した光に対して蛍光や反射光といった光を検出することが難しい）試料でも分析できる。
【００１８】
本発明の請求項３に係る発明は、前記検出器は光センサであり、前記光の強度波形を周波数解析する周波数解析手段をさらに備える請求項１に記載の分析装置である。
【００１９】
周波数解析手段は、検出器で検出され出力された混合音波形（または混合光強度波形）の信号に含まれる成分を周波数毎に分解し、横軸を周波数、縦軸をレベルとしてグラフ化して表示する機器で構成され、任意のスペクトラムアナライザを用いることができる。
【００２０】
近年、フーリエ変換またはウェーブレット変換により周波数解析を行うプログラムを実行する様々なソフトウェアが提案されている。このようなソフトウェアを用いれば、測定機器として特別に作られたスペクトラムアナライザに代えて、かかるソフトウェアをインストールした任意のパーソナルコンピュータでスペクトラムアナライザを構成できる。前記検出器によって検出された音または光は、電気信号に変換される。また、このようなコンピュータと検出器との間には、前記検出器により検出され変換された電気信号を増幅する増幅器を設けるとよい。
【００２１】
本発明の請求項４に係る発明は、前記試料は、乾海苔である請求項１から３のいずれかに記載の分析装置である。
【００２２】
本発明に係る分析装置で分析される試料は特に限定されないが、乾海苔のような光学的条件の悪い試料の分析に適している。
【００２３】
本発明の請求項５に係る発明は、前記検出器として、複数の光センサが配置され、各光センサと前記試料との間には干渉フィルタがそれぞれ配置され、各干渉フィルタはそれぞれ異なる波長の光を透過させ、前記試料から発生した蛍光が検出される請求項３に記載の分析装置である。
【００２４】
請求項５に係る発明では、それぞれの光センサは、別々の波長の蛍光を検出する。
【００２５】
本発明の請求項６に係る発明は、前記光源として、複数の発光ダイオードが配置されている請求項１から５のいずれかに記載の分析装置である。
【００２６】
請求項６に係る発明では、光源として発光ダイオードを用いることで、より少ないエネルギーでの光照射を可能とし、コンパクトで安価な構成の装置を提供することを可能とする。
【発明の効果】
【００２７】
本発明によれば、一回の測定で複数の単色光を試料に照射し、それぞれの単色光に対する試料の応答特性を求めることができる。このため、試料の測定に要する時間を短縮できる。また、光を試料に照射する合計時間を短くできるため、試料が経時的に変化する測定誤差も低減できる。
【００２８】
また、正弦波で強度変調する光を照射するため、矩形波で強度変調する光を照射する場合に生じる高調波成分の発生による問題を解消できる。例えば、高調波成分の発生によるエネルギーの分散を抑制できるため、従来に比べて照射する光の強度を少なくしても光の強度不足により測定が困難になる問題を回避できる。よって、コンパクトで扱いやすい装置を提供できる。
【発明を実施するための最良の形態】
【００２９】
以下、本発明の実施の形態について、図面を用いて詳細に説明する。以下、同一部材には同一符号を付し説明を省略又は簡略化する。また、本発明は多くの異なる形態による実施が可能であり、以下に示す実施形態、実施例に限定されないことはいうまでもない。
【００３０】
図１（Ａ）は、本発明の一実施態様に係る分析装置１の構成を示す概略図である。分析装置１は、光音響効果を利用して海苔の品質を測定する光音響分光法による分析装置である。分析装置１は、光変調手段としての光源駆動器１１と、異なる波長の光線を発生させる複数の光源１２と、光音響セル１４と、増幅器１６と、周波数解析手段としてのコンピュータ１８と、を備える。
【００３１】
分析装置１では、光源１２としてある特定波長の単色光を発するＬＥＤを用いており、それぞれ異なる波長の単色光を発する複数のＬＥＤを光源１２として設けている。光源１２は、光源駆動器１１と接続されている。光源駆動器１１は、ＬＥＤの数と同数のＬＥＤ駆動回路を備えており、ある一つのＬＥＤ駆動回路はある一つのＬＥＤと接続されている。複数のＬＥＤ駆動回路はそれぞれ、ＬＥＤに供給される電流を周期的に変化させ、各ＬＥＤからの単色光の強度を周期的に変化させるように構成されている。
【００３２】
このような光源駆動器１１の例としては、複数のシグナルシンセサイザを備え、各光源１２をそれぞれ別のシグナルシンセサイザと接続して、異なる周波数で各単色光が変調されるように構成したものが挙げられる。具体的には、ダイレクトデジタルシンセサイザのようなシグナルシンセサイザを複数、設け、各シグナルシンセサイザからそれぞれ異なる周波数の正弦波信号を出力する。正弦波信号は必要に応じて増幅器で増幅し、かかる正弦波信号により各光源１２からそれぞれ異なる変調周波数の変調光を発生させる。なお、光源駆動器１１には、各光源（ＬＥＤ）１２より出力される単色光の強度波形が全周期に渡ってプラスの値の正弦波となるように、各光源１２に適正な直流バイアスを加える回路が含まれている。
【００３３】
図１（Ｂ）に、光源駆動器（シグナルシンセサイザ）１１と各光源（ＬＥＤ）１２との接続方法の一例を示す。この例では、シグナルシンセサイザ１１と各ＬＥＤ１２とをオーディオパワーアンプ１１１および電流制限回路１１２を介して接続している。オーディオパワーアンプ１１１としては、例えば東芝株式会社製ＴＡ７２５２ＡＰ（モノラル）オーディオアンプキットが使用でき、その電源電圧は１２Ｖである。シグナルシンセサイザ１１とオーディオパワーアンプ１１１との間にはコンデンサが設けられている。
【００３４】
シグナルシンセサイザ１１から出力された信号は正弦波であるが、その波形の電圧値は中心値を０Ｖとし、プラスの半周期とマイナスの半周期を繰り返す。このような波形の正弦波信号は、コンデンサを介してオーディオパワーアンプ１１１に入力され、オーディオパワーアンプ１１１で増幅される。増幅後、正弦波の電圧値の中心値は、電源電圧の略１／２、つまり約６Ｖとなる。シグナルシンセサイザ１１から出力される正弦波信号の振幅と、オーディオパワーアンプ１１１の増幅率とは、オーディオパワーアンプ１１１からの出力信号波形が全周期に渡ってプラスになるように設定されている。よって、オーディオパワーアンプ１１１からの出力信号を、電流制限用抵抗を有する電流制限回路１１２を介してＬＥＤ１２に供給するように構成することで、ＬＥＤ１２から照射される単色光を全周期に渡ってプラスの値の正弦波で強度変調することができる。なお、電流制限回路１１２の電流制限用抵抗は個々のＬＥＤ１２によって抵抗値が異なるものを使用している。
【００３５】
図１（Ｃ）は、光源駆動器（シグナルシンセサイザ）１１と各光源（ＬＥＤ）１２との接続方法の別の例を示す回路図である。この例では、シグナルシンセサイザ１１からの出力信号を全周期に渡りプラスの値となる正弦波信号としてＬＥＤ１２に送るために、オフセット電圧発生回路１１３と、２回路入りのオペアンプ１１４とを用いている。オペアンプ１１４としては、例えば新日本無線株式会社製高出力電流オペアンプＮＪＭ４５５６Ａが使用できる。
【００３６】
オペアンプ１１４は、第１オペアンプ１１４Ａと第２オペアンプ１１４Ｂとを含む。シグナルシンセサイザ１１からの出力信号は、シグナルシンセサイザ１１と第１オペアンプ１１４Ａとの間に配置された抵抗を介して第１オペアンプ１１４Ａのマイナス端子に入力される。第１オペアンプ１１４Ａのマイナス端子にはまた、オフセット電圧回路１１３から出力された電圧が抵抗を介して入力されるよう、構成されている。第１オペアンプ１１４Ａは、反転出力が得られる加算回路として動作するように構成されている。
【００３７】
また、オフセット電圧発生回路１１３は、所定の範囲の直流電圧（ここではマイナスの直流電圧）を発生する機能を持つよう構成され、出力される電圧の値が適正なマイナスの値となるよう、調整される。すなわち、オフセット電圧発生回路１１３は、第１オペアンプ１１４Ａからの出力電圧が全周期に渡ってプラスとなるように手動で調整される。このように、全周期に渡ってプラスとなるようにされた第１オペアンプ１１４Ａからの出力信号は、第２オペアンプ１１４Ｂのプラス端子に入力される。第２オペアンプ１１４Ｂからは、プラス端子に印加された電圧と極めて高い精度で比例する電流がＬＥＤ１２に送られる。よって、この例では、図１（Ｂ）に示した回路構成とする場合に比べて歪みが少なく全周期がプラスの正弦波でＬＥＤ１２から照射される単色光を強度変調することができる。また、図１（Ｂ）に示す回路構成では、オーディオパワーアンプ１１１からの出力の大部分がロスとなり電力効率が悪いという問題があるが、図１（Ｃ）の回路構成とすれば、この問題を解消できる。
【００３８】
なお、オフセット電圧発生回路１１３には、内部にピーク検出回路を設け、シグナルシンセサイザ１１から出力された信号のピーク値（ここではマイナスのピーク値）を検出して最適なオフセット電圧を自動で発生する機能を持たせてもよい。このようなピーク検出回路は、オペアンプを利用して公知の技術で容易に実現可能である。
【００３９】
図１（Ｃ）の回路構成では、ＬＥＤ１２の後段に電流検出用の抵抗を設けている。そして、ＬＥＤ１２に送られる電流の値を、ＬＥＤ１２の後段の抵抗によって直接的かつ忠実に計測し、第２オペアンプ１１４Ｂのフィードバックループ内に含めることにより、極めて歪みのない正弦波で強度変調する電流をＬＥＤ１２に供給できる。しかし、第２オペアンプ１１４ＢとＬＥＤ１２との間を長いケーブルを用いて接続するような場合には、長いケーブルが第２オペアンプ１１４Ｂのフィードバックループに含まれ、動作が不安定になる恐れがある。
【００４０】
図１（Ｄ）は、図１（Ｃ）の回路の変形例を示す。図１（Ｄ）では、第２オペアンプ１１４ＢとＬＥＤ１２とを接続するケーブルと、第２オペアンプ１１４Ｂのフィードバックループとを分離している。その他は図１（Ｃ）の回路と同様の構成であり、図１（Ｃ）の回路と同様にオフセット電圧発生回路１１３の内部にピーク検出回路を設けてもよい。図１（Ｄ）では、第２オペアンプ１１４ＢとＬＥＤ１２との間を長いケーブルを用いて接続するような場合でも、動作が不安定になる不都合を解消できる。
【００４１】
このように構成することにより、複数の光源（ＬＥＤ）１２からはそれぞれ異なった周波数（変調周波数）で変調された複数の変調光が試料に対して同時に照射される。光源１２はＬＥＤに限定されず、例えばＬＥＤに比してスペクトル幅が狭い光（単色光）を発する各種レーザを用いてもよく、または有機もしくは無機のエレクトロルミネッセンスやランプ等を用いてもよい。
【００４２】
各種光源のうち、レーザは高強度の光を照射できる。このため、光分析装置では光源としてレーザが用いられることが多い。特に、光音響分光法による分析装置では、レーザが用いられることが一般的である。
【００４３】
ところで、上記従来技術に記載されたように、従来は光を断続的に照射し、照射される光の波形は矩形をなし、多くの高調波成分が現れる。高調波成分が発生すると、エネルギーが分散される。このため、矩形波で照射光を変調する従来技術では、高いエネルギーの光を照射する必要がある。一方、本発明では照射する光を正弦波で強度変調するので、矩形波で強度変調する場合のような高調波の発生を回避できる。よって、本発明ではレーザに比べて強度の低い光を発する光源（例えばＬＥＤ）を用いても、照射する光の強度が不足して測定が困難になるおそれを回避でき、弱い光源を用いても測定できる。
【００４４】
すなわち、照射する光を正弦波で強度変調する場合、高調波成分の発生によるエネルギーのロスを抑制できるため、矩形波で強度変調する場合に比して照射する光の強度が少なくてもよい。よって、レーザに比べて光の強度が劣る光源（例えばＬＥＤ）を用いても、検出器での検出に必要な量の音（または光）が得られる。光源をＬＥＤとする場合、レーザに比べて安価で取り扱いが容易であるという利点がある。また、レーザからの照射光の強度を変調させる場合、寿命の短縮を避けるためにはレーザ照射光の前に光量を変化させる装置を配置する必要がある。一方、ＬＥＤの場合はＬＥＤに供給する電流を変化させることにより直接的に強度変調させても寿命を短くする恐れが少ないという利点もある。
【００４５】
光源から照射される単色光の波長は特に限定されず、可視光に限らず、赤外光、または紫外光などを用いても良い。
【００４６】
さらに、光源駆動器１１により単色光をある周波数で変調させて光源１２から照射する構成に代えて、光源１２から照射された単色光をある変調周波数で強度変調させる構成としてもよい。あるいは、複数の光源１２を設ける代わりに、光源から照射される光を複数の異なる波長の単色光に分光して照射する分光器を設けるようにしてもよい。いずれの場合においても、複数の異なる波長の単色光がそれぞれ異なった変調周波数の変調光となるように正弦波で変調して同時に試料に照射されるようにする。
【００４７】
光音響セル１４は密閉容器であり、内部には試料を保持するサンプル台２１と、検出器としてのマイクロホン１５とが設けられている。サンプル台２１とマイクロホン１５とは音響波通路２２で接続され、光源１２から試料に変調光が照射されることにより生じる音は、音響波通路２２を通り、マイクロホン１５により検出される。分析装置１では、マイクロホン１５としては高感度マイクロホンを用い、マイクロホン１５により検出された音が電気信号に変換されてなる出力信号を増幅して出力する増幅器１６を設けている。
【００４８】
本発明では、異なる波長の複数の単色光が、それぞれ異なる周波数で強度変調されて一斉に試料に照射される。このため、試料に照射される光は、複数の単色光を含み、それらの単色光はそれぞれ異なる変調周波数で変調されているため、単一の単色光を断続的に照射する場合のような単純な波形を描かない。
【００４９】
この点について、図２を参照して詳しく説明する。図２において照射光Ｗ−ＩＮは、それぞれ波長が異なるｎ種類の単色光Ｗ１、Ｗ２、Ｗ３・・・Ｗｎを異なる正弦波で変調させそれぞれ固有の変調周波数の変調光とし、これらの変調光を同時に光音響セル１４内の試料に照射するときの照射光である。また、出力信号Ｗ−ＯＵＴは、マイクロホン１５で検出された音の波形である混合音波形の出力信号である。図２に示すように、例えば、変調光Ｗ１は、波長５３０ｎｍの単色光を発生させるＬＥＤ１２Ａから変調周波数１５０Ｈｚで変調するように正弦波で変調されて発生され、変調光Ｗ２は、波長６３０ｎｍの単色光を発生させるＬＥＤ１２Ｂから変調周波数２００Ｈｚで変調するように正弦波で変調されて発生され、変調光Ｗ３は波長４３０ｎｍの単色光を発生させるＬＥＤ１２Ｃから変調周波数２５０Ｈｚで変調するように正弦波で変調されて発生される。個々の変調光Ｗ１〜Ｗｎの強度波形は、それぞれ図２に示すように、一周期中の谷と山とがそれぞれ一つずつの単純な単一の正弦波形を描く。
【００５０】
一方、異なる複数の単色光を異なる変調周波数で変調させた複数の変調光を同時に試料に照射する場合、照射光Ｗ−ＩＮの波形は、図２に示すように異なる高さまたは深さの複数の山および谷が周期的に現れるものとなる。このように、本発明では、一の単色光を断続的に照射する従来技術に比べ、照射光Ｗ−ＩＮの波形は複雑になる。そして、光音響効果により発生する音の混合音波の出力信号Ｗ−ＯＵＴは、複数の変調光の照射に由来する複数の周波数成分を含み、照射光Ｗ−ＩＮと同様に異なる高さまたは深さの複数の山および谷が周期的に現れる複雑なものとなる。
【００５１】
本発明では、このような出力信号Ｗ−ＯＵＴを周波数解析することで、複数の単色光が試料によりそれぞれどの程度、吸収されたかを算出する。周波数解析は、任意のスペクトラムアナライザを用いて行えばよい。分析装置１では、高速フーリエ変換を行うプログラムを実行できるように設定されたコンピュータ１８を周波数解析手段として設けている。また、増幅器１６により増幅され、アナログ信号として出力された出力信号をコンピュータ１８の入力信号とするため、コンピュータ１８にはＡ／Ｄコンバータ１７を設けている。
【００５２】
本発明では、コンピュータ１８を用いた周波数解析により、混合音波形の出力信号Ｗ−ＯＵＴを照射された複数の変調光にそれぞれ対応する周波数の複数の周波数成分に分解し、そのレベルを表示する。このようにして得られた複数の周波数成分はそれぞれ、光源１２から照射され、それぞれ異なる波長を有する複数の単色光のそれぞれに対する試料の吸収率を反映している。本発明では、変調周波数が異なる複数の変調光を試料に一斉照射するため、複数の単色光に対する試料の吸収特性が一回の測定で得られる。したがって、本発明において試料をベルトコンベアのような搬送装置上に保持するようにすれば、連続分析も可能となる。
【００５３】
また、本発明では、複数の変調光を同時入力した後、これらの変調光に対応する周波数成分に分解することから、ある特定の単色光のみを照射して生じるあるひとつの音波のみを取出す従来技術のようにある特定の周波数および位相を有する信号のみを増幅するロックイン増幅器を設ける必要がなくなる。したがって、測定回数を減らして迅速な測定を可能にするという課題のみならず、装置の簡素化という別の課題を解決することもできる。
【００５４】
さらに、従来は矩形波で強度変調する光を照射するので多くの高調波成分が現れる。特に、異なる周波数で強度変調する複数の光を同時に照射しようとすれば、検出対象として設定する各周波数（基本周波数）について、多くの高調波成分（例えば基本周波数の３倍の３倍周波数、５倍の５倍周波数等）が出現する。よって、混合音波形（または混同光強度波形）を周波数解析して各基本周波数で強度変調する音（または光）に分解することは、実際上、困難である。また、ある基本周波数とその高調波成分（例えば３倍周波数）との間に、これらと重なり合わないように別の周波数の矩形波信号を設定しようとしても、設定できる周波数（基本周波数）の数が限られる。
【００５５】
これに対し、本発明では正弦波で強度変調する光を照射するので、多くの高調波成分が発生することによる周波数同士の重なり合いを回避し、従来に比して多くの異なる基本周波数で変調する光を同時照射できる。また、上述したとおり、従来技術に比して照射する光の強度を少なくしてよい。
【００５６】
ここで、試料が光を照射されて発する音を検出する場合、変調周波数が高くなるほど、検出される音のシグナルが小さくなる。このため、９００Ｈｚ以上の変調周波数で変調する光を照射して音を検出する場合は、光源としてはレーザを用いることが好ましい。しかし、変調周波数が９００Ｈｚ未満であれば、照射する光の強度が比較的低くても音のシグナルが検出可能であるため、光源としてＬＥＤも使用できる。
【００５７】
このように、光源としてＬＥＤを使用しようとすれば、光音響効果を利用した装置において採用できる変調周波数に上限が生じる。このように採用できる変調周波数の範囲が限られる場合でも、光を正弦波で強度変調する場合は矩形波で強度変調する場合より周波数選択の自由度が高く、より多くの変調周波数を選択しやすい。
【００５８】
また、正弦波で単色光を強度変調する場合、変調周波数同士の差が２０Ｈｚ以上あれば、混合音波形または混合光強度波形を各成分に分解することも容易である。よって、混合光強度波形を周波数解析する場合、分解能が比較的低い周波数解析手段を用いることもできるため、装置を簡素かつ安価にできる。
【００５９】
なお、音を検出する場合は変調周波数を低くすると、外部の低周波振動がノイズとして検出される恐れが高くなる。このような場合、低反発マットを光音響装置本体の下に敷けばよい。低反発マットを配置すれば、光源として複数のＬＥＤを用い、それらの変調周波数の範囲を１００Ｈｚ〜９００Ｈｚ程度とし、ノイズの検出を抑制した装置が得られる。
【００６０】
なお、本発明のように正弦波で強度変調する光を照射する場合でも、異なる周波数で強度変調する周波数成分同士が重なり合うことを避けることが好ましい。このため、例えば、複数の単色光を強度変調させる複数の変調周波数は、互いに、実質的に倍数関係でなく、かつ、約数関係でもなくするとよい。「複数の変調周波数の周波数同士が実質的に倍数関係でもなく約数関係でもない」とは、ある変調光の変調周波数が、同時に照射される他のいずれの変調光の変調周波数の倍数または約数となる周波数と完全に一致しない周波数であることはもとより、通常の周波数解析技術によって分解不可能な程度まで接近していない周波数であるように設定されていることを意味する。
【００６１】
具体的には、例えば６種類の単色光を照射する場合において、それぞれの単色光を強度変調させる変調周波数を２００Ｈｚ、２５０Ｈｚ、３００Ｈｚ、３５０Ｈｚ、４５０Ｈｚとして、２００Ｈｚの整数倍である４００Ｈｚ、あるいは６００Ｈｚ、または約数である１００Ｈｚといった周波数を含まないようにすることを意味する。このように変調周波数を選べば、ある変調周波数の倍数の周波数成分が、他の変調周波数と同一の周波数成分に重なって影響しあう恐れを回避できる。
【００６２】
分析装置１は、変調周波数の異なる複数の変調光を一斉照射し、この照射光を受けた試料からの音の波形または光の強度波形を周波数解析して目的とする周波数成分を取出す解析を行う周波解析手段を備える限りにおいて種々の変形が可能である。例えば、分析装置１は、散乱や透過の測定に対する光学的条件が悪い試料の測定に適した光音響分析法を利用していることから、海苔の品質を分析する装置としているが、本発明は色成分の微妙な違いに基づき分析を行う装置とでき、例えば塗料の分析装置としてもよい。以下、本発明の別の実施態様について述べる。
【００６３】
図３（Ａ）は、本発明の第２実施態様に係る分析装置２の構成を示す概略図である。分析装置２は、試料が照射光を吸収した後、放出されるエネルギーを蛍光として検出する点で第１実施態様に係る分析装置１と異なる。具体的には、分析装置２では蛍光を検出して蛍光の強度波形を出力信号としてコンピュータ１８に入力するため、検出器としてマイクロホンではなく光センサ１５Ｂを備える。また、試料は光音響セルではなく、照射光が入る窓と蛍光を取出す窓とを備えるセル１４Ｂの内部に保持される。さらに、増幅器としては光センサ１５Ｂからの出力を増幅する増幅器、例えば光センサとしてのフォトダイオードからの出力電流を電圧に変換した上で増幅する増幅器１６Ｂを用いている。
【００６４】
分析装置２では、試料から発される蛍光と試料に照射する光とを分離するため、光センサ１５Ｂの前段に干渉フィルタＦを配置している。干渉フィルタを光センサ１５Ｂ前段に配置すれば、試料に照射される入射光が誤って検出されることが回避できる。干渉フィルタＦとしては、数ｎｍまたはそれ以下のバンド幅で光を分離できる狭帯域干渉フィルタを用いることが好ましい。
【００６５】
分析装置２の変形例として、蛍光の代わりに試料を透過した透過光を検出するようにしてもよい。透過光を検出する場合は、干渉フィルタＦを省略することもできる。
【００６６】
図３（Ｂ）に分析装置２の変形例に係る分析装置２´の概略構成を示す。分析装置２´は、光源として複数のＬＥＤ１２Ｂ１、１２Ｂ２・・・１２Ｂｎを備える。各ＬＥＤとしては、それぞれ異なる波長の単色光を照射するＬＥＤが選択されている。セル１４Ｂと増幅器１６Ｂとの間には複数の光センサ１５Ｂ１、１５Ｂ２・・・１５Ｂｍが配置されている。ＬＥＤの数と光センサの数とは、同じであっても異なっていてもよい。増幅器１６Ｂは、光センサの数と同数の入力チャネルを持ち、各光センサで検出された光信号がそれぞれ、増幅される。ＡＤコンバータ１７も光センサの数と同数の入力チャネルを持ち、各光センサによる検出信号がそれぞれＡＤ変換される。
【００６７】
また、セル１４Ｂと光センサとの間には光センサの数と同数の干渉フィルタＦ１、Ｆ２・・・Ｆｍが配置され、各光センサに対して一枚の干渉フィルタが配置されている。各干渉フィルタは、それぞれ一本の光ファイバを介してセル１４Ｂと接続されている。各干渉フィルタとしては、それぞれ異なる波長の光を透過させるフィルタが用いられている。また、干渉フィルタとしては、照射する光の波長より長い波長の光を透過させるフィルタが選ばれており、これにより、照射光により励起され照射光より波長が長い蛍光が各光センサにより検出される。
【００６８】
具体的には、ｍ枚の干渉フィルタが透過させる光の中で、最も波長が短い光の波長（λ１）は、ｎ個のＬＥＤが照射する光の中で最も波長が短い光の波長（λｍｉｎ）より長い（λｍｉｎ＜λ１）。また、ｍ枚の干渉フィルタが透過させる光の中で最も波長が長い光の波長（λｍ）は、ｎ個のＬＥＤが照射する光の中で最も波長が長い光（λｍａｘ）の波長より長い（λｍａｘ＜λｍ）。
【００６９】
ｍ枚の干渉フィルタは、ｎ個のＬＥＤが照射する光は透過させないように選択されていれば、試料に照射された光が誤って光センサに検出されることが回避できるので好ましい。
【００７０】
干渉フィルタを透過した蛍光は、その干渉フィルタの後段に配置された光センサで検出される。本実施態様の装置では、各干渉フィルタを透過したある波長の光が、それぞれの光センサで検出される。各光センサで検出された光信号は、増幅器１６Ｂで増幅され、ＡＤ変換されてコンピュータ１８に入力される。コンピュータ１８では、各光信号について周波数解析を行うことで、検出された光がどの周波数の正弦波で強度変調された照射光によって励起された光かを特定する。
【００７１】
光センサで検出されたそれぞれの蛍光について、その波長とその蛍光を励起させた照射光の波長とを縦軸・横軸としたグラフにその蛍光量をプロットすれば、試料の蛍光特性を示すコンターマップが作成できる。
【００７２】
本実施態様の分析装置では、複数の光を異なる周波数の正弦波で強度変調して同時に照射し、それぞれの光で励起された蛍光を同時に測定する。よって、短い測定時間で複数の光についての蛍光特性を示したコンターマップが作成できる。このように、本発明に係る分析装置では、試料に対する光照射時間を短くできるため、光照射により性質が変化しやすい試料（例えば海苔のような植物体）の分析に特に適する。
【００７３】
なお、装置構成はこれに限定されず、例えばＬＥＤから照射される光を、干渉フィルタを通して試料に照射するようにしてもよい。ＬＥＤは、レーザに比してスペクトルの幅が広く、ある１種類のＬＥＤから、波長が近似する複数の単色光が照射されうる。そこで、光源として複数のＬＥＤを配置し、適宜、ＬＥＤの前に干渉フィルタを配置する構成とする。このように構成すれば、高価なＬＥＤの代わりに安価なＬＥＤを用いることもでき、装置を安価にできる。
【００７４】
具体的には、例えば単色光として波長５５０ｎｍの光を用いる場合において波長５５０ｎｍを中心発光波長とするＬＥＤが高価である場合、中心発光波長５５０ｎｍのＬＥＤに代えて中心発光波長５４０ｎｍのＬＥＤを用い、このＬＥＤから５５０ｎｍの単色光を照射させることができる。このようにして、複数種類のＬＥＤを光源として配置し、各ＬＥＤの前に適宜、干渉フィルタを配置すれば、任意の波長の単色光を照射することができる。また、ｎ種類のＬＥＤから照射される単色光の数を、ｎ以上にすることもできる。よって、多くの種類の任意の波長の単色光を、異なる変調周波数で強度変調して同時照射できる。
【００７５】
あるいは、同時照射する単色光の数が少なくてよい場合には、光源として同種のＬＥＤを複数、配置してそれぞれの前に異なる光を透過させる干渉フィルタを配置してもよい。このような構成として、各ＬＥＤを異なる変調周波数で強度変調させれば、同一種類のＬＥＤから異なる変調周波数で強度変調された複数の単色光を同時照射できる。よって、ＬＥＤの種類を少なくして分析装置を構成することも可能である。このように光源として使用するＬＥＤの種類を少なくできれば、装置を簡素かつ安価にできる。
【００７６】
図４は、本発明の第３実施態様に係る分析装置３の構成を示す概略図である。分析装置３は、試料が照射光を反射した反射光を検出する点で第１実施態様に係る分析装置１と異なる。分析装置３は、蛍光を検出する分析装置２と同様に、光波を検出するため、検出器として光センサ１５Ｂ、増幅器として増幅器１６Ｂを備える。分析装置３では、試料に照射される入射光を直接検出しないように光センサ１５Ｂの位置や方向を適性に設定している。
【００７７】
分析装置３の変形例として、反射光の代わりに散乱光を検出するようにすることもできる。散乱光を検出する場合、必要に応じて光センサ１５Ｂの位置を動かす、または光源１２を動かすようにしてもよい。
【実施例】
【００７８】
[実施例１]
以下、実施例に基づいて本発明さらに説明する。実施例１では、図１に示した構成の分析装置１を用い、試料として乾海苔を一枚ずつ、裏と表それぞれに光照射をして分析した。光源１２としては、波長が異なる単色光を発する１６種類のＬＥＤを用い、各ＬＥＤを光源駆動器１１の１６台のシグナルシンセサイザとそれぞれ接続し、各ＬＥＤが異なる正弦波で変調され別々の変調周波数で照射されるようにした。表１に、各ＬＥＤから発される単色光の波長と、照射する際の変調周波数を示す。
【００７９】
【表１】
2008180701.tif 000003
【００８０】
マイクロホン１５としてはバックエレクトレット方式コンデンサマイクロホン（株式会社  小野測器製、型名：ＭＩ−１４３１）、増幅器１６としては電圧入力、電圧出力タイプの増幅器（株式会社  小野測器製、型名：ＳＲ−２２００）、周波数解析手段としてはＡ／Ｄコンバータを備え、フリーソフトウェアであるＷａｖｅ  Ｓｐｅｃｔｒａ（http://www.ne.jp/asahi/fa/efu/index.htmlから入手可能）をインストールしたコンピュータを用いた。
【００８１】
図５に、コンピュータ１８に入力された出力シグナルと周波数解析の結果を示す。図５において符号ａで示すグラフ図は、マイクロホン１５で検出され、増幅器１６で増幅された後、Ａ／Ｄ変換されてコンピュータ１８に入力された音の波形を示すシグナル、符号ｂで示すグラフ図は、周波数解析結果を示す図である。図６は、図５のｂで示すグラフ図から得られた周波数解析結果に基づき算出した乾海苔の吸収率を示す図である。図６では、異なる原材料で作られた８種類の乾海苔の表側についての吸収率を示している。また、図７に同じ試料の裏側についての吸収率を示す。吸収率を示す図において、異なる形状の符号は異なる試料についての結果を示している。
【００８２】
図５のｂには、試料に照射した１６種類の単色光それぞれに由来する１６種類の異なる周波数の周波数成分それぞれの強さを示す１６のピークが表示されている。そして、図６および図７に示すように、原材料の産地や採取日が異なる試料間で１６種類の単色光の吸収特性が異なることが示された。このようにして得られた各試料の光の吸収特性を、標準試料について得られた光の吸収特性と比較することで、海苔の品質を客観的に示すことができる。
【００８３】
[実施例２]
実施例２では、乾海苔を２枚重ねて実施例１と同様に分析した。実施例２においても図５に示すような周波数解析結果が得られ、得られた周波数解析結果に基づいて、図８として示す乾海苔の吸収率を示すグラフ図を作成した。図８に示すように、乾海苔を２枚重ね、凹凸を増した状態にしても原材料の産地や採取日が異なる試料間で１６種類の単色光の吸収特性が異なることが示された。
【００８４】
［実施例３］
実施例３では、乾海苔に代えて原材料の異なる２種類の生海苔を試料とし、実施例１と同様に分析した。実施例３においても図５に示すような周波数解析結果が得られ、得られた周波数解析結果に基づいて、図９として示す生海苔の吸収率を示すグラフ図を作成した。図９に示すように、水分を含む生海苔についても原材料の違いに応じた光の吸収特性が異なることが示された。
【００８５】
［実施例４］
さらに、実施例４として、茶葉をエタノール抽出することにより得られたクロロフィル含有液を試料とし、図３に示す分析装置２による分析に供した。実施例４では、実施例１で用いた１６種類のＬＥＤのうち、試料から発生する蛍光の波長（６８０ｎｍ）に近い波長の単色光を発するＬＥＤおよび波長４３０ｎｍのＬＥＤを除き、１０種類のＬＥＤから異なる変調周波数で変調光を試料に照射するようにした。表２に、各ＬＥＤの波長と、照射する際の変調周波数を示す。なお、試料に照射したそれぞれの変調光に対応して試料から発された蛍光の強さは、それぞれ異なるため、表２の波長を示す欄の括弧の中にその強さを示す。
【００８６】
【表２】
2008180701.tif 000004
【００８７】
実施例４で用いた分析装置２の光センサ１５Ｂとしてはシリコンフォトダイオード（浜松ホトニクス株式会社製、型名：Ｓ２２８１）、干渉フィルタＦとしてはAndover社製、６８０ＦＳ２０−２５を使用した。増幅器１６Ｂとしては電流入力、電圧出力タイプの増幅器（浜松ホトニクス株式会社製、型名：Ｃ２７１９）、解析手段としては実施例１と同じソフトウェアをインストールしＡ／Ｄコンバータを備えるコンピュータを用いた。
【００８８】
図１０は、コンピュータ１８に入力された出力シグナルと周波数解析の結果を示す。実施例４でも、実施例１と同様に符号ａで示すようなコンピュータ１８に入力された光の強度波形を示すシグナル、および符号ｂで示すような周波数解析を示すグラフ図が得られた。このように、実施例４でも、複数の周波数の異なる周波成分に対応した複数のピークを得ることができた。
【００８９】
以上のように、本発明によれば、一回の測定で複数の波長の異なる光に対する試料の応答特性を求めることができることが示された。
【００９０】
［実施例５］
実施例５として、図３（ｂ）に示した構成の分析装置２´を用い、試料としてオキリシス属の植物プランクトンに光を照射し、蛍光を分析した。光源としては、１２種類のＬＥＤを用い、各ＬＥＤを光源駆動器１１の１２台のシグナルシンセサイザとそれぞれ接続した。表３に各ＬＥＤから照射する単色光の波長（各ＬＥＤの中心発光波長）および変調周波数を示す。
【００９１】
【表３】
2008180701.tif 000005
【００９２】
また、干渉フィルタとして、それぞれ異なる光を透過させる６種類の干渉フィルタを用い、各光センサの前に干渉フィルタを一つずつ、配置した。６種類の干渉フィルタは、それぞれ、４５０ｎｍの光を透過させるフィルタ（Andover社製、４５０ＦＳ１０−２５）、５００ｎｍの光を透過させるフィルタ（Andover社製、５００ＦＳ１０−２５）、５５０ｎｍの光を透過させるフィルタ（Andover社製、５５０ＦＳ１０−２５）、６００ｎｍの光を透過させるフィルタ（Andover社製、６００ＦＳ１０−２５）、６５０ｎｍの光を透過させるフィルタ（Andover社製、６５０ＦＳ１０−２５）、７００ｎｍの光を透過させるフィルタ（Andover社製、７００ＦＳ１０−２５）である。
【００９３】
光センサとしてはシリコンフォトダイオード（United  Detector  Sensor社製、型名：１０ＤＰ）、増幅器１６Ｂとしては電源電圧増幅器（浜松ホトニクス株式会社製、型名：Ｃ２７１９）、コンピュータ１８としてはＡ／Ｄコンバータを備えるコンピュータを用いた。
【００９４】
光センサで検出され、増幅されコンピュータに入力された蛍光シグナルについて、試料に照射した光の波長を横軸、検出された蛍光の波長を縦軸にとり、得られた蛍光量ごとにプロットし、コンターマップを作成した。図１１は、オキリシス属のプランクトンについて得られたコンターマップである。図１１に示すように、本発明に係る分析装置により、植物プランクトンの蛍光特性を示すコンターマップが作成された。なお、試料の測定に要した時間は４０秒であった。
【産業上の利用可能性】
【００９５】
本発明は、海苔や布地のような光学的条件が悪い物体や、塗料などの品質分析に用いることができる。
【図面の簡単な説明】
【００９６】
【図１Ａ】本発明の第１実施態様に係る分析装置の構成図。
【図１Ｂ】光源駆動器と光源との接続態様の一例を示す回路図。
【図１Ｃ】光源駆動器と光源との別の接続態様を示す回路図。
【図１Ｄ】光源駆動器と光源とのさらに別の接続態様を示す回路図。
【図２】前記分析装置において、各光源から照射される単色光、試料に照射される照射光、およびマイクロホンで検出された音の波形を示す図。
【図３Ａ】本発明の第２実施態様に係る分析装置の構成図。
【図３Ｂ】第２実施態様に係る分析装置の変形例の構成図。
【図４】本発明の第３実施態様に係る分析装置の構成図
【図５】実施例１の出力シグナルと周波数解析の結果を示す図。
【図６】実施例１の分析により得られた吸収率を示す図。
【図７】実施例１の分析により得られた吸収率を示す図。
【図８】実施例２の分析により得られた吸収率を示す図。
【図９】実施例３の分析により得られた吸収率を示す図。
【図１０】実施例４の出力シグナルと周波数解析の結果を示す図。
【図１１】実施例５で作成されたコンターマップを示す図。
【符号の説明】
【００９７】
１〜３        分析装置
１１          光源駆動器（変調光照射手段）
１２          光源
１４          光音響セル
１４Ｂ        測定セル
１５          マイクロホン（検出器）
１５Ｂ        光センサ（検出器）
１６、１６Ｂ  増幅器
１７          Ａ／Ｄコンバータ
１８          コンピュータ（周波数解析手段）
【図１Ａ】
2008180701.tif 000006
【図１Ｂ】
2008180701.tif 000007
【図１Ｃ】
2008180701.tif 000008
【図１Ｄ】
2008180701.tif 000009
【図２】
2008180701.tif 000010
【図３Ａ】
2008180701.tif 000011
【図３Ｂ】
2008180701.tif 000012
【図４】
2008180701.tif 000013
【図６】
2008180701.tif 000014
【図７】
2008180701.tif 000015
【図８】
2008180701.tif 000016
【図９】
2008180701.tif 000017
【図５】
2008180701.tif 000018
【図１０】
2008180701.tif 000019
【図１１】
2008180701.tif 000020